(57)【要約】【課題】画面点滅を見せることなく映像信号を判定し、該映像信号が人体に害を及ぼす可能性のある場合、ユーザの目に触れる前に事前に画質を低下させてユーザにとって無害な映像を出力するテレビ受像機を提供する。【解決手段】制御部２は、映像信号の映像レベルと映像周波数とを１フレーム分検出する（図１の（１）参照）。そして、映像レベルが一定の映像レベル以上であり、且つ映像周波数が所定の周波数以下であるか否かを判定する。映像レベルが一定の映像レベル以上であり、且つ映像周波数が所定の周波数以下であると判定した場合、つまり、この映像信号を人体に害を及ぼす可能性のある信号と判定した場合、制御部２は、映像処理部５に対し映像の画質を低下させることを指示する（図１の（２）参照）。【選択図】  図１
2006254265.tif 000002
【特許請求の範囲】
【請求項１】
テレビ放送信号を受信し、現在選択されているチャンネルのテレビ放送信号を抽出する受信手段と、
前記受信手段が抽出した選択されているチャンネルの映像信号を処理して、該チャンネルで放送されている番組の映像を抽出する映像処理手段と、
前記映像処理手段によって抽出された前記映像を表示する表示手段と、を備えたテレビ受像機において、
前記映像信号の映像レベルと映像周波数とを１フレーム分検出し、該映像レベルが一定の映像レベル以上であり、且つ該映像周波数が所定の周波数以下であるか否かを判定し、該映像レベルが一定の映像レベル以上であり、且つ該映像周波数が所定の周波数以下であると判定した場合、前記映像処理手段又は前記表示手段に対し映像の画質を低下させることを指示する画質低下指示手段を備え、
前記一定の映像レベルは、第一の映像レベルとこのレベルよりも高い第二の映像レベルとを含み、
前記画質低下指示手段は、前記映像レベルが第二の映像レベル以上であり、且つ前記映像周波数が所定の周波数以下であると判定した場合、前記映像処理手段に対し前記映像の画質を低下させることを指示し、
前記映像レベルが第一の映像レベル以上であって第二の映像レベル未満であり、且つ前記映像周波数が所定の周波数以下であると判定した場合、前記表示手段に対し前記映像の画質を低下させることを指示し、
前記画質低下指示手段は、前記映像の画質を低下させることを解除する解除条件が満たされると、前記映像処理手段または前記表示手段に対し前記映像の画質を低下させることの停止を指示し、
前記解除条件は、一定時間の経過であるテレビ受像機。
【請求項２】
テレビ放送信号を受信し、現在選択されているチャンネルのテレビ放送信号を抽出する受信手段と、
前記受信手段が抽出した選択されているチャンネルの映像信号を処理して、該チャンネルで放送されている番組の映像を抽出する映像処理手段と、
前記映像処理手段によって抽出された前記映像を表示する表示手段と、を備えたテレビ受像機において、
前記映像信号の映像レベルと映像周波数とを１フレーム分検出し、該映像レベルが一定の映像レベル以上であり、且つ該映像周波数が所定の周波数以下であるか否かを判定し、該映像レベルが一定の映像レベル以上であり、且つ該映像周波数が所定の周波数以下であると判定した場合、前記映像処理手段又は前記表示手段に対し映像の画質を低下させることを指示する画質低下指示手段を備えたことを特徴とするテレビ受像機。
【請求項３】
前記一定の映像レベルは、第一の映像レベルとこのレベルよりも高い第二の映像レベルとを含み、
前記画質低下指示手段は、前記映像レベルが第二の映像レベル以上であり、且つ前記映像周波数が所定の周波数以下であると判定した場合、前記映像処理手段に対し前記映像の画質を低下させることを指示し、
前記映像レベルが第一の映像レベル以上であって第二の映像レベル未満であり、且つ前記映像周波数が所定の周波数以下であると判定した場合、前記表示手段に対し前記映像の画質を低下させることを指示する請求項２記載のテレビ受像機。
【請求項４】
前記画質低下指示手段は、前記映像の画質を低下させることを解除する解除条件が満たされると、前記映像処理手段または前記表示手段に対し前記映像の画質を低下させることの停止を指示する請求項２又は３記載のテレビ受像機。
【請求項５】
前記解除条件は、一定時間の経過である請求項４に記載のテレビ受像機。
【発明の詳細な説明】
【技術分野】
【０００１】
本発明は、テレビ放送信号の映像を表示出力するテレビ受像機に関し、特に前記映像に対して視聴者の目に優しい画質調整機能を有するテレビ受像機に関するものである。
【背景技術】
【０００２】
従来のテレビ受像機は、映像の迫力をできるだけ高画質に再生することに力をいれるため、輝度が強い画面や急激な色の変化を有する画面などをそのままユーザに対し表示していた。過去にテレビ放送のあるアニメ番組は、これらの輝度が強い画面や急激な色の変化を有する画面などを用いていたため、該アニメ番組を見たユーザの中にけいれんを起こしたりする者が全国で多数発生した。
【０００３】
このように、輝度が強い画面や急激な色の変化を有する画面などは、人体に害を及ぼす可能性を有していることが分かっている。特に、光への感受性が強い低年齢のユーザに対しては、危険である。
【０００４】
そこで、特許文献１に記載されたテレビ受像機が提案されている。
【０００５】
このテレビ受像機は、映像信号における輝度の点滅の繰り返し周波数とこの点滅部分の輝度のレベルとを検出し、繰り返し周波数が３〜１５Hzの範囲にあり、且つ輝度のレベルが所定レベルを超えていた場合に、輝度の抑制を行っている。
【特許文献１】特開平１１−２３４５８３号公報
【発明の開示】
【発明が解決しようとする課題】
【０００６】
しかしながら、特許文献１において、上記繰り返し周波数が３〜１５Hzの範囲にあるか否かの判定は、プログレッシブ方式においては垂直同期信号が６０Hzである事から、４〜２０回の画面点滅が行われた後に行われることになる。そのため、映像信号判定の為に画面点滅を数回ユーザに対し見せてしまう点で問題である。
【０００７】
本発明はこのような従来の課題を解決しようとするものであり、画面点滅を見せることなく映像信号を判定し、該映像信号が人体に害を及ぼす可能性のある場合、ユーザの目に触れる前に事前に画質を低下させてユーザにとって無害な映像を出力するテレビ受像機を提供することを目的とする。
【課題を解決するための手段】
【０００８】
本発明のテレビ受像機は、前記課題を解決するために以下の構成を備えている。
（１）テレビ放送信号を受信し、現在選択されているチャンネルのテレビ放送信号を抽出する受信手段と、
前記受信手段が抽出した選択されているチャンネルの映像信号を処理して、該チャンネルで放送されている番組の映像を抽出する映像処理手段と、
前記映像処理手段によって抽出された前記映像を表示する表示手段と、を備えたテレビ受像機において、
前記映像信号の映像レベルと映像周波数とを１フレーム分検出し、該映像レベルが一定の映像レベル以上であり、且つ該映像周波数が所定の周波数以下であるか否かを判定し、該映像レベルが一定の映像レベル以上であり、且つ該映像周波数が所定の周波数以下であると判定した場合、前記映像処理手段又は前記表示手段に対し映像の画質を低下させることを指示する画質低下指示手段を備えたことを特徴とする。
【０００９】
この構成において、映像信号を１フレーム分検出しているため、プログレッシブ方式においては垂直同期信号が６０Hzである事から、１／６０秒で検出が終わる。従って、画面点滅を見せることなく映像信号を判定できる。
【００１０】
映像レベルが一定の映像レベル以上であり、且つ映像周波数が所定の周波数以下である場合には、この映像信号を人体に害を及ぼす可能性のある信号と判定する。そして、映像処理手段又は表示手段において画質の低下を行い、映像を表示する。
【００１１】
画質の低下は、例えば、ｂｒｉｇｈｔｎｅｓｓ１０％ダウン、ｃｏｎｔｒａｓｔ５％ダウン、ｓｈａｒｐｎｅｓｓ５％ダウンというようなものである。
【００１２】
以上より、画面点滅を見せることなく映像信号を判定し、該映像信号が人体に害を及ぼす可能性のある場合、ユーザの目に触れる前に事前に画質を低下させてユーザにとって無害な映像を出力することができる。
【００１３】
ここで、一定の映像レベルは、例えば８０IREである。所定の周波数は、例えば２MHｚである。
（２）前記一定の映像レベルは、第一の映像レベルとこのレベルよりも高い第二の映像レベルとを含み、
前記画質低下指示手段は、前記映像レベルが第二の映像レベル以上であり、且つ前記映像周波数が所定の周波数以下であると判定した場合、前記映像処理手段に対し前記映像の画質を低下させることを指示し、
前記映像レベルが第一の映像レベル以上であって第二の映像レベル未満であり、且つ前記映像周波数が所定の周波数以下であると判定した場合、前記表示手段に対し前記映像の画質を低下させることを指示する。
【００１４】
この構成において、第一の映像レベルは、例えば８０IREである。第二の映像レベルは、例えば９０IREである。所定の周波数は、例えば２MHｚである。
【００１５】
映像レベルが９０IRE以上であって、映像周波数が２MHｚ以下であれば、映像処理手段で画質の低下を行う。
【００１６】
また、映像レベルが８０IRE以上９０IRE未満であって、映像周波数が２MHｚ以下であれば、表示手段において画質の低下を行う。
【００１７】
ここで、映像処理手段において画質の低下を行う場合、画質の低下が緩やかであり、表示手段において画質の低下を行う場合、画質の低下が極端である。
【００１８】
以上より、映像レベルによって画質の低下を行う対象（映像処理手段か表示手段か）を変えることにより、ユーザに画質が低下したことを意識させずに、画質の低下を行うことができる。
（３）前記画質低下指示手段は、前記映像の画質を低下させることを解除する解除条件が満たされると、前記映像処理手段または前記表示手段に対し前記映像の画質を低下させることの停止を指示する。
【００１９】
この構成において、解除条件は、例えばユーザが映像の画質を低下させることを解除する操作を行った場合である。
【００２０】
ユーザが映像の画質を低下させることを解除する操作を行う等の解除条件が満たされると、映像処理手段または表示手段は、前記画質低下指示手段の指示により、映像の画質を低下させることの停止を行う。これにより、映像の画質は、画質の低下以前の状態に戻る。
（４）前記解除条件は、一定時間の経過である。
【００２１】
この構成において、一定時間は、例えば３０分である。この３０分は、アニメ番組の放映時間を想定している。アニメ番組は、輝度が強い画面や急激な色の変化を有する画面などを用いることが多いためである。
【発明の効果】
【００２２】
この発明によれば、画面点滅を見せることなく映像信号を判定し、該映像信号が人体に害を及ぼす可能性のある場合、ユーザの目に触れる前に事前に画質を低下させてユーザにとって無害な映像を出力することができる。
【００２３】
又、ユーザに画質が低下したことを意識させずに、画質の低下を行うことができる。
【発明を実施するための最良の形態】
【００２４】
以下、本発明の実施形態であるテレビジョンについて説明する。
【００２５】
図１は、本発明の実施形態であるテレビジョンの主要な構成を示すブロック図である。図２は、本発明の実施形態である映像信号の波形を示す図である。
【００２６】
TV（テレビジョン）１は、TV１全体の制御を行う制御部２と、テレビ放送信号を処理するチューナ３と、テレビ放送信号から映像信号と音声信号とを分離抽出する映像／音声切換部４と、映像信号を処理し映像を出力する映像処理部５と、映像を表示する表示部６と、音声信号を処理し音声を出力する音声処理部７と、音声を出力する音声出力部８と、ユーザが音量の調整等を行う操作部９とを備えている。
【００２７】
チューナ３は、アンテナ１０で受信しているテレビ放送信号から選択されているチャンネルのテレビ放送信号を抽出し、出力する。
【００２８】
映像／音声切換部４は、チューナ３から出力されたテレビ放送信号を、映像信号と音声信号とに分離抽出し、出力する。
【００２９】
映像処理部５は、映像／音声切換部４が出力した映像信号を処理して映像を抽出し、表示部６に映像を表示する。
【００３０】
音声処理部７は、映像／音声切換部４が出力した音声信号を処理して音声を抽出し、音声出力部８から音声を出力する。
【００３１】
制御部２は、ユーザが操作部９で操作したコマンドに応じて、電源のON／OFF、チャンネルの切り替え、音量の調整等を制御する。
【００３２】
また、制御部２は、映像信号の映像レベルと映像周波数とを１フレーム分検出する（図１の（１）参照）。そして、映像レベルが一定の映像レベル以上であり、且つ映像周波数が所定の周波数以下であるか否かを判定する。制御部２は、映像信号を１フレーム分検出しているため、プログレッシブ方式においては垂直同期信号が６０Hzである事から、１／６０秒で検出が終わる。従って、画面点滅を見せることなく映像信号を判定できる。
【００３３】
ここで、一定の映像レベルは、例えば８０IREである。所定の周波数は、例えば２MHｚである。IREは、その値が大きくなる程白色に近いことを示し、映像周波数は、その値が高くなる程明るさが細かく変化する。映像レベルが８０IRE以上であり、且つ映像周波数が２MHｚ以下である場合、この映像信号は人体に害を及ぼす可能性のある信号とみなせる。
【００３４】
映像レベルが一定の映像レベル以上であり、且つ映像周波数が所定の周波数以下であると判定した場合、つまり、この映像信号を人体に害を及ぼす可能性のある信号と判定した場合、制御部２は、映像処理部５に対し映像の画質を低下させることを指示する（図１の（２）参照）。例えば、映像信号の波形が図２に示す状態である場合、つまり映像レベルが８０IRE以上であり、且つ映像周波数が２MHｚ以下である場合、制御部２は、映像処理部５に対し映像の画質を低下させることを指示する。
【００３５】
映像処理部５は、画質の低下を行い、表示部６で映像を表示する。画質の低下は、例えば、ｂｒｉｇｈｔｎｅｓｓ１０％ダウン、ｃｏｎｔｒａｓｔ５％ダウン、ｓｈａｒｐｎｅｓｓ５％ダウンというようなものである。
【００３６】
以上より、画面点滅を見せることなく映像信号を判定し、該映像信号が人体に害を及ぼす可能性のある場合、ユーザの目に触れる前に事前に画質を低下させてユーザにとって無害な映像を出力することができる。
【００３７】
なお、この実施形態では、映像処理部５において画質を低下させたが（図１の（２）参照）、表示部６において画質を低下させても良い（図１の（２）´参照）。
【００３８】
また、上記画質の低下は、後述の図３で示す解除条件が満たされるまで、継続される。
【００３９】
TV１の各部には、図示していない電源回路から動作電源が供給されている。この電源回路の入力は、商用電源（例えばAC１００V）である。
【００４０】
ここで、チューナ３が本発明の「受信手段」に相当する。制御部２が本発明の「画質低下指示手段」に相当する。
【００４１】
図３は、本発明の実施形態であるテレビジョンにおいて制御部が行う動作を示すフローチャートである。この動作は、TV１がテレビ放送信号を受信している時、特定のタスクとして常時実行されている。
【００４２】
TV１は、映像信号の映像レベルと映像周波数とを１フレーム分検出する（ｓ１）。そして、映像レベルが８０IRE以上であり、且つ映像周波数が２MHｚ以下であるか否かを判定する（ｓ２）。TV１は、映像信号を１フレーム分検出しているため、プログレッシブ方式においては垂直同期信号が６０Hzである事から、１／６０秒で検出が終わる。従って、画面点滅を見せることなく映像信号を判定できる。
【００４３】
映像レベルが８０IRE以上であり、且つ映像周波数が２MHｚ以下でないと判定した場合、ｓ１に戻り処理を継続する。
【００４４】
ｓ２において、映像レベルが８０IRE以上であり、且つ映像周波数が２MHｚ以下であると判定した場合、つまり、この映像信号を人体に害を及ぼす可能性のある信号と判定した場合、TV１は、映像処理部５において、映像の画質を低下する（ｓ３）。画質の低下は、例えば、ｂｒｉｇｈｔｎｅｓｓ１０％ダウン、ｃｏｎｔｒａｓｔ５％ダウン、ｓｈａｒｐｎｅｓｓ５％ダウンというようなものである。
【００４５】
以上より、画面点滅を見せることなく映像信号を判定し、該映像信号が人体に害を及ぼす可能性のある場合、ユーザの目に触れる前に事前に画質を低下させてユーザにとって無害な映像を出力することができる。
【００４６】
TV１は、映像の画質を低下させることを解除する解除条件が満たされたか否か判定する（ｓ４）。解除条件は、例えばユーザが映像の画質を低下させることを解除する操作を操作部９において行った場合、又は一定時間の経過である。一定時間は、例えば３０分である。この３０分は、アニメ番組の放映時間を想定している。アニメ番組は、輝度が強い画面や急激な色の変化を有する画面などを用いることが多いためである。
【００４７】
また、上記解除条件に、加重条件を加えても良い。加重条件は、例えば、上記３０分が経過した時、つまり解除条件が満たされた時、映像信号を数フレーム分検出し、数フレーム分の該映像信号全てについてｓ２の判定を満たしているという条件である。そして、ｓ２の判定を肯定とした場合には画質低下を停止し、ｓ２の判定を否とした場合には画質低下を停止する。
【００４８】
上記加重条件を加えることにより、細かい画質調整が可能となる。
【００４９】
TV１は、映像の画質を低下させることを解除する解除条件が満たされると、映像処理部５において、映像の画質を低下させることの停止を行い（ｓ５）、ｓ１に戻り処理を継続する。これにより、映像の画質は、画質の低下以前の状態に戻る。
【００５０】
ここで、８０IREが本発明の「一定の映像レベル」に相当する。また、２MHｚが本発明の「所定の周波数」に相当する。
【００５１】
以下、本発明の他の実施形態であるテレビジョンについて説明する。
【００５２】
本発明の他の実施形態であるテレビジョンにおいて、構成については、上記実施形態であるテレビジョンと同様である。
【００５３】
図４は、本発明の他の実施形態であるテレビジョンにおいて制御部が行う動作を示すフローチャートである。
【００５４】
同制御部が行う動作は、図３におけるｓ３をｓ１６、ｓ１７、及びｓ１８に置き換えた動作であり、その他の処理（ｓ１、ｓ２、ｓ４、ｓ５）については同じである。
【００５５】
TV１００は、ｓ１、ｓ２の動作を行うと、映像レベルが９０IRE以上か否か判定する（ｓ１６）。
【００５６】
映像レベルが９０IRE以上であると判定すると、つまり映像レベルが９０IRE以上であって、映像周波数が２MHｚ以下であれば、TV１００は、映像処理部５において、映像の画質を低下する（ｓ１７）。そして、ｓ４に進み処理を継続する。
【００５７】
映像レベルが９０IRE以上でないと判定すると、つまり映像レベルが８０IRE以上９０IRE未満であって、映像周波数が２MHｚ以下であれば、TV１００は、表示部６において、映像の画質を低下する（ｓ１８）。そして、ｓ４に進み処理を継続する。
【００５８】
ここで、映像処理部５において画質の低下を行う場合、画質の低下が緩やかであり、表示部６において画質の低下を行う場合、画質の低下が極端である。
【００５９】
つまり、ｓ１６〜ｓ１８は、映像レベルが９０IRE以上である場合に、映像処理部５において、映像の画質を緩やかに低下させており、映像レベルが８０IRE以上９０IRE未満である場合に、表示部６において、映像の画質を極端に低下させている。
【００６０】
以上より、映像レベルによって画質の低下を行う対象（映像処理部５か表示部６か）を変えることにより、ユーザに画質が低下したことを意識させずに、画質の低下を行うことができる。
【００６１】
ここで、８０IREが本発明の「第一の映像レベル」に相当する。また、９０IREが本発明の「第二の映像レベル」に相当する。
【図面の簡単な説明】
【００６２】
【図１】本発明の実施形態であるテレビジョンの主要な構成を示すブロック図
【図２】本発明の実施形態である映像信号の波形を示す図
【図３】本発明の実施形態であるテレビジョンにおいて制御部が行う動作を示すフローチャート
【図４】本発明の他の実施形態であるテレビジョンにおいて制御部が行う動作を示すフローチャート
【符号の説明】
【００６３】
１−TV
２−制御部
３−チューナ
４−映像／音声切換部
５−映像処理部
６−表示部
７−音声処理部
８−音声出力部
９−操作部
１０−アンテナ
１００−TV
【図１】
2006254265.tif 000003
【図２】
2006254265.tif 000004
【図３】
2006254265.tif 000005
【図４】
2006254265.tif 000006